(57)【要約】  膨張式要素（１）と、使用中にシートパッドの少なくとも一部の傾斜を感知するための少なくとも１つのジャイロセンサ（２０）と、ジャイロセンサ（２０）のためのエネルギー源（２１）と、ジャイロセンサ（２０）によるデータ送信のための通信ユニット（３１）とを含む診断リハビリテーションシートパッド。診断リハビリテーションシートパッド（３０）と、診断リハビリテーションシートパッド（３０）のジャイロセンサ（２０）によって感知されたユーザの病変兆候の決定のための評価判定ユニット（３２）とを含む診断リハビリテーション装置であり、病状のデータ評価および決定のための評価決定ユニット（３２）は着座中の病状のデータベース（３３）を備え、データ伝送のために診断リハビリテーションシートパッド（３０）の通信ユニット（３１）と出力ユニット（３４）に接続されている診断リハビリテーション装置。
2019528875.tif 000002
【特許請求の範囲】
【請求項１】
膨張可能要素（１）と、使用中にパッドの表面の少なくとも一部の傾斜を感知するための少なくとも２つのジャイロセンサ（２０）と、ジャイロセンサ（２０）のためのエネルギー源（２１）と、ジャイロセンサ（２０）によって検知されたデータ送信のための通信ユニット（３１）と、を含むことを特徴とする診断リハビリテーションシートパッド。
【請求項２】
少なくとも２つのジャイロセンサ（２０）が中心線（Ｏ）から距離を置いて配置され、それらの少なくとも一方は、中心線（Ｏ）と一方の側面の間にあり、それらの他方は中心線（Ｏ）と他方の側面の間にあることを特徴とする請求項１に記載の診断リハビリテーションシートパッド。
【請求項３】
前記膨張可能要素（１）は、中心線（Ｏ）に沿って通る中央縮小領域（１０）を含み、少なくとも２つのジャイロセンサ（２０）は前記中央縮小領域（１０）の外側に配置されていることを特徴とする請求項１または２に記載の診断リハビリテーションシートパッド。
【請求項４】
中心線（Ｏ）から離れて配置された少なくとも２つのジャイロセンサ（２０）が、中心線（Ｏ）に関して互いに対称に配置されていることを特徴とする請求項１乃至３のいずれか一項に記載の診断リハビリテーションシートパッド。
【請求項５】
前記診断リハビリテーションシートパッドは、中心線（Ｏ）上に配置された少なくとも１つのジャイロセンサ（２０）をさらに含むことを特徴とする請求項１乃至４のいずれか一項に記載の診断リハビリテーションシートパッド。
【請求項６】
前記ジャイロセンサ（２０）は圧力センサ（２２）を含むことを特徴とする請求項１乃至５のいずれか一項に記載の診断リハビリテーションシートパッド。
【請求項７】
前記膨張可能要素（１）は、平面視で、背面（４）、凹状の側面（２）および凹状の前面（３）を含むことを特徴とする請求項１乃至６のいずれか一項に記載の診断リハビリテーションシートパッド。
【請求項８】
前記凹状の前面（３）が１００〜１５０ｍｍの曲率半径を有し、および／または前記凹状の側面（２）が１５０〜２５０ｍｍ、特に１９０〜２１０ｍｍの曲率半径を有することを特徴とする請求項７に記載の診断リハビリテーションシートパッド。
【請求項９】
前部（１３）の最大幅は後部（１４）の最大幅よりも大きく、それは平面視でシートパッドの中央部（１５）の最大幅よりも大きいことを特徴とする請求項１乃至８のいずれか一項に記載の診断リハビリテーションシートパッド。
【請求項１０】
前記膨張可能要素（１）は、平面視で、前部（１３）において最大幅３８〜４２ｃｍ、後部（１４）において最大幅３６〜４０ｃｍ、および中央部（１５）の最大幅を３３〜３７ｃｍ有することを特徴とする請求項１乃至９のいずれか一項に記載の診断リハビリテーションシートパッド。
【請求項１１】
前記膨張可能要素（１）が少なくとも１つの解放開口部（５）を介して相互接続されている少なくとも２つのチャンバーに分割されていることを特徴とする請求項１乃至１０のいずれか一項に記載の診断リハビリテーションシートパッド。
【請求項１２】
前記膨張可能要素（１）は、平面視において上下に配置された一対のチャンバーを備え、両チャンバーの平面形状の周長は同一であり、前記チャンバーは凹状の側面（２）間を通る中心線（Ｏ）上に配置された１つの解放開口部（５）を介して相互接続されていることを特徴とする請求項１乃至１１のいずれか一項に記載のシートパッド。
【請求項１３】
前記膨張可能要素（１）は、平面視において上下に配置された一対のチャンバーを含み、両方のチャンバーの平面形状の周長は同じであり、前記膨張可能要素（１）は、前記チャンバーを相互接続するための３つの解放開口部（５）を含み、そのうちの１つは、平面視で前面（３）の近くだがそこから距離を置いて、凹状の側面（２）の間を通る中心線（Ｏ）上に配置され、他の２つの解放開口部（５）は、背面（４）の近くで中心線（Ｏ）に関して対称的に配置されているが、そこから距離を置いて配置されており、前記シートパッドは、中心線（Ｏ）上の前部（１３）に配置されたジャイロセンサ（２０）と、中心線（Ｏ）上の後部（１４）に配置されたジャイロセンサ（２０）と、中心線（Ｏ）から距離をおいて中心線（Ｏ)に互いに対称に配置されたジャイロセンサ（２０）とを含むことを特徴とする請求項１乃至１１のいずれか一項に記載のシートパッド。
【請求項１４】
前記膨張可能要素（１）は、中心線（Ｏ）に沿って通過する中央縮小領域（１０）と、前記中央縮小領域（１０）の外側に配置されかつ中心線（Ｏ）に関して対称に配置された少なくとも２つのジャイロセンサ（２０）とを備えることを特徴とする請求項１乃至１１のいずれか一項に記載のシートパッド。
【請求項１５】
前記膨張可能要素（１）は、後部（１４）の外縁から中央部（１５）と前部（１３）との間の移行領域まで中心線（Ｏ）に沿って通る中央縮小領域（１０）を含み、前記シートパッドは、前記中央縮小領域（１０）と前部（１３）の外縁との間の中心線（Ｏ）上に配置されたジャイロスコープセンサ（２０）を含み、また、後部（１４）において中心線（Ｏ）に関して互いに対称的に配置された一対のジャイロスコープセンサ（２０）を含むことを特徴とする請求項１乃至１１のいずれか一項に記載のシートパッド。
【請求項１６】
前記膨張可能要素（１）は、後部（１４）の外縁からの距離でまた前部（１３）の外縁からの距離で終端する中心線（Ｏ）に沿って通る中央縮小領域（１０）を含み、前記シートパッドは、中央縮小領域（１０）とその側面の一方との間の後部（１４）に配置されたジャイロセンサ（２０）と、中央減少領域（１０）と第２側面の間の前部（１３）に配置されたジャイロセンサ（２０）とを含むことを特徴とする請求項１乃至１１のいずれか一項に記載のパッド。
【請求項１７】
カバーを含み、その内側に前記膨張可能要素（１）が配置されることを特徴とする請求項１乃至１６のいずれか一項に記載のシートパッド。
【請求項１８】
請求項１乃至１７のいずれか一項に記載の診断リハビリテーションシートパッド（３０）と、前記診断リハビリテーションシートパッド（３０）のジャイロセンサ（２０）によって感知されたデータの評価およびユーザの病変徴候の決定のための評価判定ユニット（３２）とを含み、評価決定ユニット（３２）は、着座中の病状のデータベース（３３）を備え、病状のデータ評価および決定のための前記評価決定ユニット（３２）は、データ送信のために診断リハビリテーションシートパッド（３０）の通信ユニット（３１）に接続され、病状のデータ評価および決定のための前記評価決定ユニット（３２）は、出力ユニット（３４）に接続されていることを特徴とする診断リハビリテーション装置。
【請求項１９】
患者の病変徴候を除去するためにリハビリテーション運動の割り当てのための割り当てユニット（３５）をさらに含み、前記割り当てユニット（３５）は、個々の病状の除去のための適合性の決定を伴うリハビリテーション運動のデータベース（３６）を備えており、病状のデータ評価および決定のための前記評価決定ユニット（３２）におよび任意選択で出力ユニット（３４）に接続されていることを特徴とする請求項１８に記載の診断リハビリテーション装置。
【請求項２０】
病状のデータ評価および決定のために前記評価決定ユニット（３２）に接続された病状の存在の信号伝達のための信号ユニット（３７）をさらに含むことを特徴とする請求項１８または１９のいずれか一項に記載の診断リハビリテーション装置。
【発明の詳細な説明】
【技術分野】
【０００１】
本発明は、診断リハビリテーションシートパッドおよび診断リハビリテーション装置に関する。
【背景技術】
【０００２】
椅子に座っていると、主に脊椎と腹部の領域で脊椎が静的過負荷になり、椎間板の変性と安定筋の萎縮を引き起こす。従来技術でもシートパッドは知られているが、それらは動的方向移動を解決しない。これらのシートパッドは、それらが膨張することによって不安定な領域を作り出すという方法でバランスを保とうとしている。このようなシートパッドは、座っている間にユーザにこの不安定さのバランスを取らせ、したがって特定の筋肉と関係することを強いる。
【０００３】
しかしながら、これらのシートパッドは、長期間の着座の結果として生じる問題を解決するものでも、使用者の健康状態等を考慮するものでもない。これらの既存のシートパッドはまた、ユーザの着席中にユーザの着座スタイルおよび病理学的症状を評価することを可能にせず、そして最終的に、そのような評価に基づいて、それらは特定のリハビリ運動の可能性を提供しない。同時に、シートパッドの不安定性のバランスと生成された筋肉の負荷の方向付けに関与する筋肉の種類に関して、ユーザの体位に対するシートパッドの効果をさらに高めることが求められている。
【発明の概要】
【発明が解決しようとする課題】
【０００４】
本発明の目的は、シートパッド上に座っている間のその不安定性および身体の目標位置に起因する筋肉活動の生成を支援するだけでなく、座っている間のユーザの座っているスタイルおよびユーザの病理学的症状の診断を可能にし、そのような診断に基づいて目標とされるリハビリテーション運動を決定する。
【課題を解決するための手段】
【０００５】
上記の課題は、膨張可能要素と、診断リハビリテーション用シートパッドの上側の動きを感知するための少なくとも１つのジャイロセンサとを含む、動的指向性着座用の診断リハビリテーション用シートパッドによって解決される。
【０００６】
膨張可能要素は、好ましくは、平面視で、背面、凹状の側面および凹状の前面を含む。
【０００７】
特に好ましい実施形態では、膨張可能要素は、少なくとも１つの解放開口部を介して相互接続されている少なくとも２つのチャンバーに分割されている。
【０００８】
膨張可能要素は、平面視で、前部で最大幅３８〜４２ｃｍ、後部で最大幅３６〜４０ｃｍ、中央部で最大幅３３〜３７ｃｍであり、前部の最大幅は、後部の最大幅よりも大きく、後部の最大幅は、平面視でシートパッドの中央部の最大幅よりも大きい。
【０００９】
特に好ましい実施形態では、膨張可能要素は、平面視において上下に配置された一対のチャンバーを備え、両チャンバーの平面形状の周長は同じであり、それらは凹状の側面の間を通る中心線上に配置された少なくとも１つの解放開口部を通して相互接続されている。
【００１０】
その他の特に好ましい実施形態では、前記膨張可能要素は、平面視で上下に配置された一対のチャンバーを含み、両チャンバーの平面形状の周長は同じであり、前記膨張可能要素は、前記チャンバーを相互接続するための３つの解放開口部を含む。それらのうちの１つは、平面視で前面の近くだがそこから距離を置いて凹状の側面の間を通る中心線上に配置され、他の２つの開口部は背面の近くだがそこから距離を置いて中心線に関して対称に配置され、前記シートパッドは、前部の中心線上に配置されたジャイロセンサと、後部の中心線上に配置されたジャイロセンサと、中心線から距離をおいて互いに対称に中央部に配置された一対のジャイロセンサとを含む。
【００１１】
場合によっては、膨張可能要素が、中心線に沿って通過する中央縮小領域と、中央縮小領域の外側で中心線に関して対称に配置された少なくとも２つのジャイロセンサとを含む場合が好ましい。
【００１２】
膨張可能要素は、好ましくは、背面の外縁から中央部と前部との間の移行領域まで中心線に沿って通る中央縮小領域を含み、シートパッドは、中央縮小領域と前部の外縁との間の中心線上に配置されたジャイロセンサと、中心線に関して互いに対称に後部に配置された一対のジャイロセンサとを含む。
【００１３】
膨張可能要素はまた、中心線に沿って通過する中央縮小領域を含み、これは、後部の外縁からも前部の外縁からもある距離で終端し、シートパッドは、中央縮小領域と一方の側面との間の後部に配置されたジャイロセンサと、中央縮小領域と他方の側面との間の前部に配置されたジャイロセンサとを含む。
【００１４】
好ましくは、シートパッドはまた、カバー（これは、上側が織物製であり、下側がゴム製またはＰＶＣホイル製であり、側面に沿って周縁部が設けられている）も含む。
【００１５】
使用中に得られたデータは、さまざまな目的のために処理することができる。特に、潜在的な病的症状を評価する、および／または任意に診断を決定するために、短期および長期の着座中のユーザの特定の筋肉の関与に関して得られたデータを分析することが好ましい。特定のリハビリテーション運動の適切性もデータから結論づけることができる。評価はコンピュータプログラムによって行われることが好ましい。さらに、例えばシートパッド内のジャイロセンサによって制御されるゲームの形態で、その後の運動のためのコンピュータプログラムを作成することが可能である。あるいは、ジャイロセンサからおよび誤ったスタイルの場合における現在得られているデータに基づいて着座の正確さを評価し、警告オーディオまたはビデオ信号を生成することが可能である。
【００１６】
あるいは、またはさらに、記録されたデータは職場における従業員の存在および労働参加を決定することを可能にする。
【００１７】
ジャイロセンサは、より正確な感知値を得るため、またはより正確な評価の可能性を提供するために、圧力センサで補足することができる。
【００１８】
最新技術の欠点は、本発明による診断リハビリテーションシートパッドを含む診断リハビリテーション装置によってかなり排除される。この装置はまた、診断リハビリテーションシートパッドのジャイロセンサによって感知されたデータを評価するための、およびユーザの病変兆候を決定するための評価決定ユニットを含む。評価決定ユニットは、座っている間の病状のデータベースを備える。病状のデータ評価および決定のための評価決定ユニットは、データ伝送のための診断リハビリテーションシートパッドの通信ユニットに接続されている。病状のデータ評価および決定のための評価決定ユニットは、出力ユニットに接続されている。
【００１９】
任意選択で、圧力センサを備えた診断リハビリテーションシートパッドのジャイロセンサは、診断リハビリテーションシートパッドの外側の動きを感知し、任意選択で、シートパッドを使用する人によってシートパッドに加えられる圧力も感知する。これらの測定データは、診断リハビリテーションシートパッドの通信ユニットによって評価決定ユニットに送信される。評価決定ユニットは、通信ユニットから受信したデータを評価し、そして病状のデータベースを使用して、座っている間にどの病状が存在するかを決定する。出力ユニットは、決定された現在の病状についてのデータをユーザに提供する。
【００２０】
好ましくは、診断リハビリテーション装置は、患者の病変徴候を排除するためにリハビリテーション運動を割り当てるための割り当てユニットをさらに含む。割り当てユニットは、リハビリ運動のデータベースを備え、このデータベースはまた、どのリハビリ運動が特定の病変兆候を排除するのに適切であるかについての情報も含む。割り当てユニットは、病状のデータ評価および決定のために評価決定ユニットに接続され、任意選択で出力ユニットに接続される。出力ユニットは、決定された現在の病状についてのデータだけでなく、識別された現在の病変兆候に対して適切なリハビリテーション運動についてのデータもユーザに提供する。
【００２１】
好ましくは、診断リハビリテーション装置は、病状の存在を知らせるための信号伝達ユニットをさらに含む。信号伝達ユニットは評価決定ユニットに接続されている。
【００２２】
出力装置は、モニタおよび／またはプリンタとすることができる。信号伝達装置は、音声信号伝達用のスピーカおよび／または画像信号伝達用のモニタまたは光源とすることができる。
【図面の簡単な説明】
【００２３】
本発明は、実施例および図面によってさらに詳細に開示される。図１は実施例１に開示されたシートパッドの膨張可能要素の平面図を示す。図２は実施例２に開示されたシートパッドの膨張可能要素の平面図である。図３は実施例３に開示されたシートパッドの膨張可能要素の平面図を示す。図４は実施例４に開示されたシートパッドの膨張可能要素の平面図を示す。図５は、診断リハビリテーション装置を概略的に示す。
【発明を実施するための形態】
【００２４】
シートパッドは、カバーとその内側に配置された膨張可能要素とを含む。さらに、シートパッドは、カバーをその上に置くことができるように、より小さな割合でシートパッドおよびカバーと同じ平面形状のみを有する、膨張可能要素とカバーの間に配置される断熱発泡体の層を含むことができる。
【００２５】
図１は、本発明の実施例１による動的方向性着座用シートパッドの膨張可能要素１の実施形態の平面図を示す。平面形状は丸みを帯びた角を有する実質的に長方形（またはわずかに台形）であるが、側面２は２００ｍｍの曲率半径で凹状の側面であり、前面３も１３３ｍｍの曲率半径で凹状の側面である。凹状の側面２により、膨張可能要素１は、中央部１５において平面形状に狭められるか、または後部１４の最大部分で３８０ｍｍ、前部１３の最大部分で４００ｍｍ、中央部１５の最も狭い部分で３５０ｍｍある。この形状は、骨盤骨自体がシートパッドに座っている間に支持され、一方、大腿骨の股関節または関節が少なくとも部分的にシートパッドの外側の凹状の側面２に近接した領域に配置されるので解剖学的観点から有利である。これは、着座中のシートパッド使用者の意図しない矯正および左右および前後への揺動運動の発生に寄与する。
【００２６】
膨張可能要素の平面形状の背面４は、直線状またはわずかに凸状であり得る。本発明によるシートパッドのカバーは常に上述の形状を有する。比率に関しては、カバーはそれに応じてより大きくなるので、場合によっては（平面形状に関して）同様に作られた断熱フォームを伴って、膨張可能要素１をその中に入れて縫い付けることが可能であって、そして同時に、カバーはその中に置かれている内容物（膨張可能要素そして場合によっては断熱フォーム）に隣接している。
【００２７】
シートパッドはまた、中央部でシートパッドの外面に隣接して配置されたジャイロセンサ２０、例えばブルートゥース（登録商標）の通信ユニット３１、そしてまたジャイロセンサ２０のためのバッテリーであるエネルギー源２１を備える構成を含み、その位置はシートパッドの前面に描かれているが、その配置は事実上任意である。ジャイロセンサ２０は、その内側または外側で膨張可能要素１の外側表面に、またはその任意の断熱フォーム層に、あるいはその内側のカバーにも取り付けることができる。ジャイロセンサ２０は、好ましくは３軸であり、シートパッドの上面の傾斜を検知するのに役立つ。これにより、ユーザの座っている姿勢を自動的に監視したり、短期および長期の座っている間に関連している筋肉の種類を評価することができる。測定データの送信のために通信ユニット３１が使用され、それは好ましくは無線データ送信のために調整される。通信ユニット３１を使用して、感知されたデータを評価のためにコンピュータ、タブレットまたは携帯電話に転送することができる。
【００２８】
図２の膨張可能要素１は、ジャイロセンサ２０の数と配置、ならびにそれが二重チャンバーであるという事実の両方によって、図１の膨張性要素と異なり、両チャンバーは上記の平面形状を有し、上下に配置され、解放開口部５を介して相互に連結されている（膨張可能要素１の上面図からは見えないが図面には破線で示されている）。１つの解放開口部５は、凹状の側面２の間の中心線Ｏの領域であって、前部１３と中央部１５との間の境界上または前面３から最初の３分の１のほぼ境界上の領域に配置されている。他の２つの解放開口部５は、凹状の側面２の間を通る中心線Ｏに関して対称的に後部１４に配置されている。解放開口部の周囲は７から１２ｍｍ、好ましくは１０ｍｍである。
【００２９】
この実施形態では、４つのジャイロセンサ２０が膨張可能要素１の外面に配置され、ジャイロセンサ２０は、感知されたデータを電子デバイスに転送するために共有エネルギー源２１および共有通信ユニット３１に接続される。２つのジャイロセンサ２０は中心線Ｏ上に配置され、一方は前部１３に、他方は後部１４に配置され、２つのジャイロセンサ２０は中心線Ｏから距離を置いて中央部に配置される。したがって、前記ジャイロセンサ２０は、シートパッドの個々の部分の傾斜の変化のより複雑でより正確な測定を可能にし、したがってユーザの筋肉活動の評価も可能にする。
【００３０】
図１の膨張可能要素１の膨張後の最大高さ（図に描かれた平面図に垂直な方向）は、５０から１８０ｍｍである。
【００３１】
図１および図２による実施形態の膨張可能要素を備えたシートパッドは、筋肉活動を作り出し、そのような活動を背中、腹部、大腿部の隠れた（submerged）安定化筋肉および臀筋に向けるのに特に適している。
【００３２】
図３に示す膨張可能要素１の実施形態は、中心線Ｏに沿って両側から配置された中央縮小領域１０を備えるという点で、図１または図２の実施形態とは主に異なるが、前部１３および後部１４の外縁には達していない。中央縮小領域１０は、後部１４の幅が１００ｍｍであり、前部１３の幅が８０ｍｍであることが好ましい。
【００３３】
ジャイロセンサ２０は、一方が中央縮小領域１０の一方の側の後部１４にあり、他方が中央縮小領域１０の他方の側の前部１３にあるように配置されている。
【００３４】
さらに、後部１４の外縁と中央縮小領域１０との間および／または前部１３の外縁と中央縮小領域１０との間の中心線Ｏ上の領域には、解放開口部（図示せず）を、膨張可能要素１の右側部分から左側部分へおよび反対方向へ空気を放出するために配置することができる。
【００３５】
あるいは、別の実施形態では、膨張可能要素１は、平面視で同一であり、少なくとも１つの解放開口部（図示せず）を介して相互接続された上下に配置された一対のチャンバーを含む。
【００３６】
中央領域１０は側面図で縮小されており、これは中央領域１０が全く膨張可能ではなく構造的に膨張可能な側部領域のみであり、または中央領域１０は膨張可能であるが、膨張後は側面領域よりも低い高さを有するように達成される。
【００３７】
図４の実施形態では、膨張可能要素１は中央縮小領域１０も含むが、これは後部１４内のその外縁まで延びる。
【００３８】
３つのジャイロセンサ２０があり、そのうちの１つは中央縮小領域１０と前部１３の端との間の中心線Ｏ上に配置され、２つは後部１４にあり、それらのそれぞれは、中央縮小領域１０に隣接する１つの領域内にある。各ジャイロセンサ２０は、より正確な感知値を得るため、またはより正確な評価の可能性を提供するために圧力センサ２２を含む。
【００３９】
全ての実施形態において、任意の解放開口部５は、それらの外縁に強化部を備えることが好ましい。それらが円形として描かれているとしても、それらを他の形状、例えば楕円形、正方形、長方形などにすることが可能であることも明らかである。
【００４０】
図５に、診断リハビリテーション装置を概略的に示す。診断リハビリテーション装置は、実施例１〜４による診断リハビリテーションシートパッド３０を含む。診断リハビリテーション装置はまた、診断リハビリテーションシートパッド３０のジャイロセンサ２０によって感知されたデータを評価するため、およびユーザの病変兆候を決定するための、評価決定ユニット３２を備える。
【００４１】
評価決定ユニット３２は、座っている間のユーザの病状のデータベース３３を備えている。病状のデータ評価および決定のための評価決定ユニット３２は、データ伝送のために診断リハビリテーションシートパッド３０の通信ユニット３１に接続されている。病状のデータ評価および決定のための評価決定ユニット３２は、スピーカを備えたモニタおよびプリンタである出力ユニット３４に接続されている。
【００４２】
診断リハビリテーション装置はまた、患者の病変徴候を排除するためにリハビリテーション運動を割り当てるための割り当てユニット３５を含む。割り当てユニット３５は、リハビリテーション運動のデータベースを備えており、このデータベースは、どのリハビリテーション運動が特定の病状の排除に適切であるかについての情報も含む。割り当てユニット３５は、病状のデータ評価および決定のための評価決定ユニット３２に接続され、そして任意選択で出力ユニット３４に接続される。出力ユニット３４は、決定された現在の病状についてのデータだけでなく、識別された現在の病変兆候に適したリハビリテーション運動についてのデータもユーザに提供する。スピーカを備えたモニタは、病状の存在を知らせるための信号伝達ユニット３７として機能する。信号伝達ユニット３７は、病状のデータ評価および決定のために評価決定ユニット３２に接続されている。病変兆候の場合には、視覚的にモニタおよび聴覚的にスピーカは病変兆候の存在をユーザに警告する。
【００４３】
いくつかの実施形態が記載されているとしても、当業者がこれらの実施形態に対するさらなる可能な代替物を容易に見つけることができることは明らかである。したがって、この特許の範囲は、実施例に開示されているこれらの実施形態に限定されず、むしろ添付の特許請求の範囲の定義によって与えられる。
【図１】
2019528875.tif 000003
【図２】
2019528875.tif 000004
【図３】
2019528875.tif 000005
【図４】
2019528875.tif 000006
【図５】
2019528875.tif 000007
【国際調査報告】
2019528875.tif 000008
2019528875.tif 000009
2019528875.tif 000010